(57)【要約】【課題】引き違い戸でも開き戸でも共通して戸本体へ扉を開閉自在に接続させることができる扉用部品を提供する。【解決手段】扉側取付板部２と、扉側取付板部２に接続する側面視Ｌ字状の本体側取付板部３と、扉側取付板部２と本体側取付板部３とを接続する接続具と、扉側取付板部２を扉部に固定する固定具とを有し、扉側取付板部２が、横方向の位置を調整して固定具で扉部に固定する横方向調整用穴２１と、本体側取付板部３を重ね合わせて接続具を差し込んで固定する接続用穴２４とを有し、本体側取付板部３が、外周面で滑動可能に本体部に接続する円筒状の突起部３３を有し、縦方向の位置を調整して接続具で扉側取付板部２に固定する縦方向調整用穴３２を有する構成とする。【選択図】図１
2015101828.tif 000002
【特許請求の範囲】
【請求項１】
戸の本体部と扉部とを接続して扉部の開閉をするための扉用部品であって、
裏面側で前記扉部に取り付ける扉側取付板部と、裏面側で前記扉側取付板部表面側に接続する背板部と前記背板部下部を表面側に屈曲してなる前板部とを有する側面視Ｌ字状の本体側取付板部と、前記扉側取付板部と前記本体側取付板部とを接続する接続具と、前記扉側取付板部を前記扉部に固定する固定具とを有し、
前記扉側取付板部が、横方向の位置を調整して前記固定具で前記扉部に固定する横方向調整用穴と、前記本体側取付板部を重ね合わせて前記接続具を差し込んで固定する接続用穴とを有し、
前記本体側取付板部が、外周面で滑動可能に前記本体部に接続する円筒状の突起部を前記前板部下面に有し、縦方向の位置を調整して前記接続具で前記扉側取付板部に固定する縦方向調整用穴を前記背板部に有することを特徴とする扉用部品。
【請求項２】
前記突起部が、円筒状の軸部の外周に弾性体のリングを取り付けてなることを特徴とする請求項１記載の扉用部品。
【請求項３】
前記扉側取付板部の表面側と前記本体側取付板部の裏面側とに、それぞれ滑り止め部を有することを特徴とする請求項１又は請求項２記載の扉用部品。
【請求項４】
前記固定具がネジであって、前記横方向調整用穴が前記ネジのヘッド部分の厚み以上の深さのある皿穴であり、
前記扉側取付板部において、前記横方向調整用穴と前記接続用穴とが交互に２組縦に配置され、
前記本体側取付板部において、前記縦方向調整用穴が、前記扉側取付板部と前記本体側取付板部を接続した状態で前記固定具を２つの接続用穴の間にある方の横方向調整用穴内に挿入可能とする固定具挿入用穴を挟んで、縦に２つ配置されていることを特徴とする請求項１から請求項３のいずれかに記載の扉用部品。
【請求項５】
請求項１から請求項４のいずれかに記載の扉用部品を、前記突起部が垂直方向に突出するように上下対で取り付けた扉部を１又は複数有し、前記扉用部品毎に前記突起部が穴内で回動可能に接続される軸受け穴を天板及び床板に有し、前記扉部が左右方向に開閉することを特徴とする開き戸。
【請求項６】
請求項１から請求項４のいずれかに記載の扉用部品を、前記突起部が垂直方向に突出するように、右上、左上、右下、左下の各部に取り付けた扉部を複数有し、前記扉用部品の突起部がレール内で滑動可能に接続される直線状の扉用レールを扉部ごとに天板及び床板に有し、前記扉部が前記扉用レールに沿って移動することを特徴とする引き違い戸。
【請求項７】
請求項１から請求項４のいずれかに記載の扉用部品を、前記突起部が垂直方向に突出するように、右上、左上、右下、左下の各部に取り付けた扉部を複数有し、前記扉用部品の突起部がレール内で滑動可能に接続され左端部又は右端部が屈曲している扉用レールを扉用部品ごとに天板又は床板に有し、前記扉部が前記扉用レールに沿って移動し閉めたときに左右の扉部の表面がフラットになることを特徴とするフラット引き違い戸。
【請求項８】
請求項１から請求項４のいずれかに記載の扉用部品を、前記突起部が水平方向に突出するように上部に左右対で取り付けた扉部を有し、前記扉用部品毎に前記突起部がレール内で滑動可能に接続される扉用レールを側板内部上方に有し、前記扉部が上方向に引き上げて開き前記扉用レールに沿って本体部内に収納されることを特徴とするスライド収納式フラップ戸。
【発明の詳細な説明】
【技術分野】
【０００１】
本発明は、家具である開き戸や引き違い戸等に用いる扉を戸本体へ開閉自在に接続させるための扉用部品に関する。
【背景技術】
【０００２】
従来から、開き戸の扉を戸本体に開閉自在に接続させるものとして、互いに回動自在に接続された左辺と右辺からなる蝶番等がある（例えば、特許文献１参照）。また、引き違い戸の扉を戸本体に開閉自在に接続させるものとして、戸本体のレール上を走る車輪を有する戸車等がある（例えば、特許文献２参照）。また、扉が本体内部にスライド収納できるポケット戸では、例えば上部に扉を跳ね上げるフラップ戸が代表として挙げられるが、扉を戸本体に開閉自在に接続させるものとして、戸本体内部のスライドレールに沿って走る車輪を有するスライドヒンジ等がある（例えば、特許文献３参照）。
【先行技術文献】
【特許文献】
【０００３】
【特許文献１】特開２０１０−２７５７１０号公報
【特許文献２】特開２００３−２１４０１７号公報
【特許文献３】特開平６−６６０５９号公報
【発明の概要】
【発明が解決しようとする課題】
【０００４】
しかし、上述した特許文献１記載の開き戸では、戸の内部である収納部分に蝶番の金具のでっぱりが生じてしまうため、収納量が減ってしまうという問題があった。また蝶番は上下左右の調整が容易にできないため利便性に欠けるという問題があった。
【０００５】
また、上述した特許文献２記載の引き違い戸では、戸車をレール上に滑走させるのに、ガイドと戸車部分の両部品を要するため部品数が増え、組み立て工数やコストがかさむという問題があった。また隣り合う引き違い扉が扉を閉めた状態でフラットな状態にするフラット引き違い戸では、ユニット式で決められたサイズの扉を使わざるを得ず、製造費が高くなってしまうという問題があった。
【０００６】
また、上述した特許文献３記載のスライド収納式フラップ戸では、スライドレールの長さによって扉の大きさが制限され、スライドヒンジの仕様によって扉の板の厚みが制限されてしまうため、扉の大きさや厚みに合わせてヒンジを用意する必要があり、製造コストが高くなるという問題があった。
【０００７】
また、上述した特許文献１、２、３記載の発明では、戸のタイプごとに扉を接続するための部品が異なり、それぞれ別々に用意しなければならないという問題があった。
【０００８】
本発明は、上述したような課題を解決するためになされたものであり、第１の目的は、引き違い戸でも開き戸でも共通して戸本体へ扉を開閉自在に接続させることができる扉用部品を得ることである。
【０００９】
また、第２の目的は、収納量を減らさずに利便性に優れる開き戸を得ることを目的としている。
【００１０】
また、第３の目的は、部品数が少なく安価である引き違い戸又はフラット引き違い戸を得ることを目的としている。
【００１１】
また、第４の目的は、扉の大きさや厚みの制限を受けにくく安価であるスライド収納式フラップ戸を得ることを目的としている。
【課題を解決するための手段】
【００１２】
本願発明者は、上記目的を達成するため、試行錯誤の上、扉用部品及び、扉用部品を用いた開き戸、引き違い戸、フラット引き違い戸、スライド収納式フラップ戸を発明した。
【００１３】
本発明の第１の態様は、戸の本体部と扉部とを接続して扉部の開閉をするための扉用部品であって、
裏面側で前記扉部に取り付ける扉側取付板部と、裏面側で前記扉側取付板部表面側に接続する背板部と前記背板部下部を表面側に屈曲してなる前板部とを有する側面視Ｌ字状の本体側取付板部と、前記扉側取付板部と前記本体側取付板部とを接続する接続具と、前記扉側取付板部を前記扉部に固定する固定具とを有し、
前記扉側取付板部が、横方向の位置を調整して前記固定具で前記扉部に固定する横方向調整用穴と、前記本体側取付板部を重ね合わせて前記接続具を差し込んで固定する接続用穴とを有し、
前記本体側取付板部が、外周面で滑動可能に前記本体部に接続する円筒状の突起部を前記前板部下面に有し、縦方向の位置を調整して前記接続具で前記扉側取付板部に固定する縦方向調整用穴を前記背板部に有することを特徴とする扉用部品を提供する。
【００１４】
本発明の第１の態様の扉用部品によれば、引き違い戸でも開き戸でも共通して戸本体へ扉を開閉自在に接続させることができる。
【００１５】
上述した本発明の第１の態様の扉用部品は、前記突起部が、円筒状の軸部の外周に弾性体のリングを取り付けてなることが好ましい。上述した本発明の第１の態様の扉用部品の効果に加え、滑動しやすく動きが滑らかになる効果を奏する。また、リングの外周面を本体部の円形の穴内面で滑らせて扉用部品を回転させたり、リングの外側を本体部のコの字型のレール内面で滑らせて扉用部品を移動させたりすることが容易となる。
【００１６】
上述した本発明の第１の態様の扉用部品は、また、前記扉側取付板部の表面側と前記本体側取付板部の裏面側とに、それぞれ滑り止め部を有することが好ましい。上述した本発明の第１の態様の扉用部品の効果に加え、縦方向の位置調整後に部品同士のずれが生じにくくなるため、がたつきを防止できる効果を奏する。
【００１７】
上述した本発明の第１の態様の扉用部品は、さらに、前記固定具がネジであって、前記横方向調整用穴が前記ネジのヘッド部分の厚み以上の深さのある皿穴であり、
前記扉側取付板部において、前記横方向調整用穴と前記接続用穴とが交互に２組縦に配置され、
前記本体側取付板部において、前記縦方向調整用穴が、前記扉側取付板部と前記本体側取付板部を接続した状態で前記固定具を２つの接続用穴の間にある方の横方向調整用穴内に挿入可能とする固定具挿入用穴を挟んで、縦に２つ配置されていることがより好ましい。上述した本発明の第１の態様の扉用部品の効果に加え、安定性に優れ、設置及び位置調整が容易となり、また、本体側取付板部の縦方向の調整可能幅が広くなり、より多様な大きさの扉に対応可能となる効果を奏する。
【００１８】
また、本発明の第２の態様は、本発明の第１の態様の扉用部品を、前記突起部が垂直方向に突出するように上下対で取り付けた扉部を１又は複数有し、前記扉用部品毎に前記突起部が穴内で回動可能に接続される軸受け穴を天板及び床板に有し、前記扉部が左右方向に開閉することを特徴とする開き戸を提供する。
【００１９】
本発明の第２の態様の開き戸によれば、収納量を減らさずに利便性に優れる。
【００２０】
また、本発明の第３の態様は、本発明の第１の態様の扉用部品を、前記突起部が垂直方向に突出するように、右上、左上、右下、左下の各部に取り付けた扉部を複数有し、前記扉用部品の突起部がレール内で滑動可能に接続される直線状の扉用レールを扉部ごとに天板及び床板に有し、前記扉部が前記扉用レールに沿って移動することを特徴とする引き違い戸を提供する。
【００２１】
本発明の第３の態様の引き違い戸によれば、部品数が少なく安価である。
【００２２】
また、本発明の第４の態様は、本発明の第１の態様の扉用部品を、前記突起部が垂直方向に突出するように、右上、左上、右下、左下の各部に取り付けた扉部を複数有し、前記扉用部品の突起部がレール内で滑動可能に接続され左端部又は右端部が屈曲している扉用レールを扉用部品ごとに天板又は床板に有し、前記扉部が前記扉用レールに沿って移動し閉めたときに左右の扉部の表面がフラットになることを特徴とするフラット引き違い戸を提供する。
【００２３】
本発明の第４の態様のフラット引き違い戸によれば、部品数が少なく安価である。また、レールの長さを調整すれば扉サイズを自由に決められる。
【００２４】
また、本発明の第５の態様は、本発明の第１の態様の扉用部品を、前記突起部が水平方向に突出するように上部に左右対で取り付けた扉部を有し、前記扉用部品毎に前記突起部がレール内で滑動可能に接続される扉用レールを側板内部上方に有し、前記扉部が上方向に引き上げて開き前記扉用レールに沿って本体部内に収納されることを特徴とするスライド収納式フラップ戸を提供する。
【００２５】
本発明の第５の態様のスライド収納式フラップ戸によれば、扉の大きさや厚みの制限を受けにくく安価である。
【００２６】
上述のように、本発明の第１の態様の扉用部品は、開き戸、引き違い戸、フラット引き違い戸、スライド収納式フラップ戸の扉開閉手段として共通して用いることができ、戸の製造コストが抑制できる。
【発明の効果】
【００２７】
本発明の扉用部品によれば、引き違い戸でも開き戸でも共通して戸本体へ扉を開閉自在に接続させることができる。
【図面の簡単な説明】
【００２８】
【図１】本発明の実施例１の扉用部品の（ａ）斜視図（ｂ）組立図である。
【図２】本発明の実施例１の扉用部品の（ａ）扉側取付部の正面側構造図（ｂ）扉側取付部の縦断面概略図（ｃ）本体側取付部の裏面側構造図（ｄ）本体側取付部の縦断面概略図である。
【図３】本発明の実施例１の扉用部品の各部品の組み合わせ状態を示す（ａ）正面側概略図（ｂ）縦断面概略図（ｃ）調整用ねじ取付部分概略図（ｄ）固定用ねじ取付部分概略図である。
【図４】本発明の実施例１の開き戸の（ａ）正面側概略図（ｂ）水平方向断面概略図（ｃ）縦断面概略図である。
【図５】本発明の実施例１の開き戸の（ａ）上部接続部分断面概略図（ｂ）下部接続部分断面概略図（ｃ）扉裏面側から見た上部接続部分概略図である。
【図６】本発明の実施例１の引き違い戸の（ａ）正面側概略図（ｂ）水平方向断面概略図（ｃ）縦断面概略図である。
【図７】本発明の実施例１の引き違い戸の（ａ）上部接続部分断面概略図（ｂ）下部接続部分断面概略図である。
【図８】本発明の実施例１のフラット引き違い戸の（ａ）正面側概略図（ｂ）水平方向断面概略図（ｃ）縦断面概略図である。
【図９】本発明の実施例１のフラット引き違い戸の（ａ）上部接続部分断面概略図（ｂ）下部接続部分断面概略図である。
【図１０】本発明の実施例１のスライド収納式フラップ戸の（ａ）正面側概略図（ｂ）水平方向断面概略図（ｃ）縦断面概略図である。
【図１１】本発明の実施例１のスライド収納式フラップ戸の（ａ）右上部接続部分断面概略図（ｂ）左上部接続部分断面概略図（ｃ）左上部接続部分正面概略図である。
【発明を実施するための形態】
【００２９】
以下、本発明について、添付図面を適宜参照して実施例を用いて好適な実施の形態を具体的に説明するが、本発明はこれらに限定されるものではない。
【００３０】
｛扉用部品：実施例１｝
まずは、図１ないし図３を用いて、本発明の実施例１の扉用部品について説明する。図１は、本発明の実施例１の扉用部品の（ａ）斜視図（ｂ）組立図である。また、図２は、本発明の実施例１の扉用部品の（ａ）扉側取付部の正面側構造図（ｂ）扉側取付部の縦断面概略図（ｃ）本体側取付部の裏面側構造図（ｄ）本体側取付部の縦断面概略図である。図３は、本発明の実施例１の扉用部品の各部品の組み合わせ状態を示す（ａ）正面側概略図（ｂ）縦断面概略図（ｃ）調整用ねじ取付部分概略図（ｄ）固定用ねじ取付部分概略図である。図３（ｃ）は、図３(ａ)のＪ-Ｊ断面部分を、図３（ｄ）は、Ｋ−Ｋ断面部分を示す。
【００３１】
(構成)
本発明の実施例１の扉用部品１は、戸の本体部と扉部とを接続して扉部の開閉をするための扉用部品であって、裏面側で扉部に取り付ける扉側取付板部２と、裏面側で扉側取付板部２表面側に接続する背板部３４と背板部３４下部を表面側に直角に屈曲してなる前板部３６とを有する側面視Ｌ字状の本体側取付板部３と、扉側取付板部２と前記本体側取付板部３とを接続する接続具と、扉側取付板部２を扉部に固定する固定具とを有する。本発明の実施例１の扉用部品１では、接続具は調整用ねじ４ａ、４ｂである。また、本発明の実施例１の扉用部品１では、固定具は固定用ねじ９ａ、９ｂである。扉側取付板部２が、扉部に扉側取付板部２の裏面側を重ね固定用ねじ９ａ、９ｂを差し込んだ状態で扉側取付板部２を横方向にスライド可能な横長穴であって横方向の位置を調整して固定用ねじ９ａ、９ｂで扉部に固定する横方向調整用穴２１ａ、２１ｂと、本体側取付板部３を重ね合わせて調整用ねじ４ａ、４ｂを差し込んで固定する接続用穴２４ａ、２４ｂとを有し、本体側取付板部３が、外周面で滑動可能に本体部に接続する円筒状の突起部３３を前板部３６下面に有し、接続用穴２４ａ、２４ｂに重ね合わせ調整用ねじ４ａ、４ｂを差し込んだ状態で本体側取付板部３を縦方向にスライド自在な縦長穴であって縦方向の位置を調整して調整用ねじ４ａ、４ｂで扉側取付板部２に固定する縦方向調整用穴３２ａ、３２ｂと、固定用ねじ９ｂを扉側取付板部２内に挿入可能とする固定具挿入用穴３１とを背板部３４に有する。
【００３２】
扉側取付板部２及び本体側取付板部３は、ともに本発明の実施例１の扉用部品１ではステンレス製であるため、耐久性や強度に優れる。背板部３４と前板部３６とは１枚の板を折り曲げて構成され、本実施例では、突起部３３は前板部３６の中央を上面側から下面側に窪ませて設けられている中空の窪みを軸部３３２とするものである。
【００３３】
突起部３３は、円筒状の軸部３３２の外周に弾性体のリング３３１を取り付けて構成される。本発明の実施例１の扉用部品１においては、リング３３１にはＡＢＳ樹脂でため、耐久性に優れ、また弾性と表面平滑性に優れていて金属製のレール内部や軸受け穴内部で突起部３３をスムーズに動かすことが容易である。
【００３４】
扉側取付板部２の表面側と本体側取付板部３の裏面側とに、それぞれ滑り止め部を有する。本発明の実施例１の扉用部品１において、扉側取付板部２の滑り止め部は、横方向に複数の溝を掘った横溝部２５ａ、２５ｂであり、本体側取付板部３の滑り止め部は、横溝部２５ａ、２５ｂと同じピッチで同程度の深さで横方向に溝を掘った滑り止め溝部３５ａ、３５ｂである。扉側取付板部２においては、横方向調整用穴２１ａ、横溝部２５ａの中央にある接続用穴２４ａ、横方向調整用穴２１ｂ、横溝部２５ｂの中央にある接続用穴２４ｂの順で縦(長手方向)に配置されている。また、本体側取付板部３においては、滑り止め溝部３５ａの中央にある縦方向調整用穴３２ａ、固定具挿入用穴３１、滑り止め溝部３５ｂの中央にある縦方向調整用穴３２ｂの順で、Ｌ字型の本体側取付板部３の背板部３４に縦(長手方向)に配置されている。横溝部２５ａと滑り止め溝部３５ａ、横溝部２５ｂと滑り止め溝部３５ｂとは、扉側取付板部２と本体側取付板部３とを重ね合わせて調整用ねじ４ａ、４ｂを締めると、互いに向かい合って重なりあい、縦方向のずれに対して摩擦力が働く。
【００３５】
本発明の実施例１の扉用部品１において、固定具は、固定用ねじ９ａ、９ｂである。横方向調整用穴２１ａ、２１ｂは、固定用ねじ９ａ、９ｂのヘッド部分の厚み以上の深さのある皿穴である。したがって、扉側取付板部２を扉部に取り付けた状態で、扉側取付板部２に接続した本体側取付板部３を、扉側取付板部２の表面上でスライド移動させるのに、固定用ねじ９ａ、９ｂが出っ張って邪魔になることがない。
【００３６】
(取り付け方法)
扉用部品１の取付け順序として、まずは、扉部の扉用部品取り付け箇所に、扉用部品１の扉側取付板部２の裏面側が接触するように設置し、固定用ねじ９ａを横方向調整用穴２１ａに、固定用ねじ９ｂを横方向調整用穴２１ｂに、それぞれ差し込んで、扉用部品１を扉の扉用部品１設置面に仮止めする。つぎに、横方向の位置の微調整をして、その後、固定用ねじ９ａと固定用ねじ９ｂとをしっかり締めて固定する。突起部３３は本体部の所定の位置(レールや軸受け穴等)に嵌め込む。縦長の縦方向調整用穴３２と接続用穴２４とを重ねて調整用ねじ４で止めて扉側取付板部２と本体側取付板部３と接続しているところ、ネジを少し緩めて、扉部と本体部の位置関係に応じて、縦方向の位置を調整して、その後、調整用ねじ４をしっかり締めて固定する。
【００３７】
(作用効果)
本発明の実施例１の扉用部品１によれば、上述した構成であるので、縦横いずれの方向も位置調整可能であり、扉と本体との距離や扉の開閉支点を自由に設定でき、突起部がレール内滑走も軸受け穴内の回転にも対応でき、したがって、引き違い戸でも開き戸でも共通して戸本体へ扉を開閉自在に接続させることができる。従来、家具の開き戸や引き違い戸などの扉には、強度と安全性を保つために何らかの金物部品が利用されていたが、それぞれ違う金物を使う必要があったが、本実施例によれば、家具のインセット扉（箱の内側に収まった扉）については、ほとんどのタイプをカバーすることができる。
【００３８】
よって、本発明の実施例１の扉用部品１によれば、利便性が高く、また個別の部品を作成するよりコストが抑制できる。したがって多様な戸の製作においてコスト削減や部品数削減に役立ち、また、戸の種類が多様であっても扉接続部分が共通するため、組み立て方法をマスターするのも容易となる。これにより技術者育成費の抑制も図ることができる。
【００３９】
また、突起部３３には弾性体のリング３３１を取り付けてあるので、滑動しやすく動きが滑らかになる効果を奏する。また、リング３３１の外周面を、本体側の円形の穴内面に滑らせて扉用部品１を回転させたり、リング３３１の外側を本体側のコの字型のレール内面で滑らせて扉用部品１を移動させたりすることが容易となる。また、横溝部２５と滑り止め溝部３５との間に働く摩擦力によって、縦方向の位置調整後に部品同士のずれが生じにくくなるため、がたつきを防止できる効果を奏する。さらに、扉側に扉用部品１を取り付けた後は横方向調整用穴２１内に固定用ねじ９のヘッド部分が収まっているため、本体側取付板部３を縦方向にずらして縦方向の位置調整をする際に、固定用ねじ９が邪魔になることなく、したがって、本体側取付板部３の縦方向の調整可能幅が広くなり、より多様な大きさの扉に対応可能となる効果を奏する。
【００４０】
｛開き戸の実施例１｝
本発明の実施例１の扉用部品１の使用例として、扉用部品１ａ、１ｂ、１ｃ、１ｄを組み込んだ、本発明の実施例１の開き戸を、図を用いて説明する。図４は、本発明の実施例１の開き戸の（ａ）正面側概略図（ｂ）水平方向断面概略図（ｃ）縦断面概略図である。図４（ｂ）においては、一点鎖線は吊り元を示す。図５は、本発明の実施例１の開き戸の（ａ）上部接続部分断面概略図（ｂ）下部接続部分断面概略図（ｃ）扉裏面側から見た上部接続部分概略図である。図４（ｂ）は、図４（ａ）のＡ-Ａ断面部分を、図４（ｃ）は、図４（ａ）のＢ-Ｂ断面部分を示す。
【００４１】
本発明の実施例１の開き戸５は、扉用部品１（１ａ、１ｂ、１ｃ、１ｄ）を、突起部３３が垂直方向に突出するように上下対で取り付けた扉部５２ａ、５２ｂを有し、扉用部品１毎に突起部３３が穴内で回動可能に接続される軸受け穴５５を、本体部５１の一部である天板５３及び床板５４に有し、扉部５２ａ、５２ｂが左右方向に開閉する。扉用部品１は、開き戸５において、ヒンジの役割を果たす。本実施例では扉部は２枚であるが、本体部５１に１枚の扉部５２である開き戸であってもよい。軸受け穴５５は、床板５４には、扉用部品１ａ、１ｂ用にそれぞれ１か所ずつ下方向に、天板５３には、扉用部品１ｃ、１ｄ用にそれぞれ１か所ずつ上方向に、突起部３３がちょうど嵌る大きさで設けられている。扉部５２開閉時に、突起部３３が軸受け穴５５内で、上下対となった扉用部品１の突起部３３中心を中心軸として水平方向に回転して、本体部５１に対して、上下対となった扉用部品１の部分を回転軸として扉部５２を開閉する。
【００４２】
本発明の実施例１の開き戸５によれば、上述した構成であるので、収納量を減らさずに利便性に優れる。従来、開き戸の扉の開閉用の部品であるヒンジには、通常スライドヒンジかピボットヒンジか長丁番が使われる。しかし、本発明の実施例１の開き戸５は、扉用部品１を有することにより、通常のピボットヒンジと同様に吊元の金物のでっぱりが少なく、収納量が増やせる特徴を持ったまま、現在市販されている同等のタイプのピボットヒンジ（扉の裏側に取り付けて扉が閉まった状態で見えないヒンジ）にはない、ネジを緩めることで左右・上下の調整が可能となるという効果を奏する。
【００４３】
｛引き違い戸の実施例１｝
本発明の実施例１の扉用部品１の使用例として、扉用部品１ｅ、１ｆ、１ｇ、１ｈ、１ｉ、１ｊ、１ｋ、１ｍを組み込んだ、本発明の実施例１の引き違い戸を、図を用いて説明する。図６は、本発明の実施例１の引き違い戸の（ａ）正面側概略図（ｂ）水平方向断面概略図（ｃ）縦断面概略図である。図７は、本発明の実施例１の引き違い戸の（ａ）上部接続部分断面概略図（ｂ）下部接続部分断面概略図である。図６（ｂ）は、図６（ａ）のＣ-Ｃ断面部分を、図６（ｃ）は、図６（ａ）のＤ-Ｄ断面部分を示す。
【００４４】
本発明の実施例１の引き違い戸６は、扉用部品１（１ｅ、１ｆ、１ｇ、１ｈ、１ｉ、１ｊ、１ｋ、１ｍ）を、突起部３３が垂直方向に突出するように、右上、左上、右下、左下の各部に取り付けた扉部６２ａ、６２ｂを有し、扉用部品１の突起部３３がレール内で滑動可能に接続される直線状の扉用レール６６を扉部ごとに天板６３及び床板６４に有し、扉部６２ａ、６２ｂがそれぞれ扉用レール６６に沿って移動する。具体的には、扉用レール６６は、突起部３３がちょうど嵌る幅で設けられており、扉部６２ａの床板６４側が扉用レール６６ａ、扉部６２ｂの床板６４側が扉用レール６６ｂ、扉部６２ａの天板６３側が扉用レール６６ｃ、扉部６２ｂの天板６３側が扉用レール６６ｄである。扉用レール６６ａ上を扉用部品１ｅ、１ｆが滑走し、扉用レール６６ｂ上を扉用部品１ｇ、１ｈが滑走し、扉用レール６６ｃ下を扉用部品１ｉ、１ｊが滑走し、扉用レール６６ｄ下を扉用部品1ｋ、１ｍが滑走する。扉部６２開閉時に、突起部３３の外側で扉用レール６６に接している部分を扉用レール６６の内側に接しながら滑らせることにより、扉部６２が扉用レール６６と平行に動き、扉部６２を左右方向に開閉する。引き違い戸６は、本体部６１の内部に、棚保持柱６７ａ、６７ｂで支えられた棚６８が設けられ、物品を収納できる。
【００４５】
本発明の実施例１の引き違い戸６によれば、上述した構成であるので、部品数が少なく安価である。従来、引き違い戸では、扉の開閉には、本体部の方にレールを装着した上で、通常ガイドと戸車で別々の部品が使われる。しかし、本発明の実施例１の引き違い戸６は、扉用部品１を有することにより、戸車の役割もガイドの役割も同じ部品で果たすことができるので、部品点数が減るという効果を奏する。
【００４６】
｛フラット引き違い戸の実施例１｝
本発明の実施例１の扉用部品１の使用例として、扉用部品１を組み込んだ、本発明の実施例１のフラット引き違い戸を、図を用いて説明する。図８は、本発明の実施例１のフラット引き違い戸の（ａ）正面側概略図（ｂ）水平方向断面概略図（ｃ）縦断面概略図である。図９は、本発明の実施例１のフラット引き違い戸の（ａ）上部接続部分断面概略図（ｂ）下部接続部分断面概略図である。図８（ｂ）は、図８（ａ）のＥ-Ｅ断面部分を、図８（ｃ）は、図８（ａ）のＦ-Ｆ断面部分を示す。
【００４７】
本発明の実施例１のフラット引き違い戸７は、扉用部品１（１ｎ、１ｐ、１ｑ、１ｒ、１ｓ、１ｔ、１ｕ、１ｖ）を、突起部３３が垂直方向に突出するように、右上、左上、右下、左下の各部に取り付けた扉部７２ａ、７２ｂを有し、扉用部品１の突起部３３がレール内で滑動可能に接続され左端部又は右端部が屈曲している扉用レール７６を扉用部品ごとに天板７３又は床板７４に有し、扉部７２ａ、７２ｂが扉用レール７６に沿って移動し閉めたときに左右の扉部の表面がフラットになる。
【００４８】
本実施例では、上から見た時に左端部が本体部７１の外側方向に屈曲している扉用レール７６ａ、７６ｃと、右端部が本体部７１の内側方向に屈曲している扉用レール７６ｂ、７６ｄとが床板７４に配置され、上から見た時に左端部が本体部７１の外側方向に屈曲している扉用レール７６ｅ、７６ｇと、右端部が本体部７１の内側方向に屈曲している扉用レール７６ｆ、７６ｈとが天板７３に配置されている。フラット引き違い戸７は、本体部７１の内部に、棚保持柱７７ａ、７７ｂで支えられた棚７８が設けられ、物品を収納できる。
【００４９】
具体的には、扉用レール７６は、突起部３３がちょうど嵌る幅で設けられている。正面視左側の扉部７２ａの床板７４側で、閉めた時に本体部７１の側面に近い方が扉用レール７６ａ、中心に近い方が扉用レール７６ｃで、扉用レール７６ａ上を滑走するのが扉用部品１ｎ、扉用レール７６ｃ上を滑走するのが扉用部品１ｐである。正面視右側の扉部７２ｂの床板７４側で、閉めた時に本体部７１の側面に近い方が扉用レール７６ｄ、中心に近い方が扉用レール７６ｂで、扉用レール７６ｄ上を滑走するのが扉用部品１ｒ、扉用レール７６ｂ上を滑走するのが扉用部品１ｑである。天板７３側も床板７４側と対応するように構成され、扉用レール７６ｅ下を滑走するのが扉用部品１ｓ、扉用レール７６ｇ下を滑走するのが扉用部品１ｔで、扉用レール７６ｆ下を滑走するのが扉用部品１ｖ、扉用レール７６ｈ下を滑走するのが扉用部品１ｕである。扉部７２開閉時に、突起部３３の外側で扉用レール７６に接している部分を扉用レール７６の内側に接しながら滑らせることにより、扉部７２が、扉用レール７６と平行に左右方向に動いて扉用レール７６の屈曲に合わせて前後に移動して、左右方向に開閉する。
【００５０】
本発明の実施例１のフラット引き違い戸７によれば、上述した構成であるので、部品数が少なく安価である。従来、フラット引き違い戸では、通常の引き違い戸と異なり、戸を閉めたときに戸がフラットな状態にすることができるが、扉の開閉には、本体部の方にレールを装着した上で、通常ガイドと戸車で別々の部品が使われるうえに、ユニット式で決められたサイズの扉にしか使用できず、しかも高価である。しかし、本発明の実施例１のフラット引き違い戸７は、扉用部品１を有することにより、戸車の役割もガイドの役割も同じ部品で果たすことができるので、部品点数が減るし、安価で、また、レールの長さを調整することで自由に扉サイズを決めることができるという効果を奏する。
【００５１】
｛スライド収納式フラップ戸の実施例１｝
本発明の実施例１の扉用部品１の使用例として、扉用部品１ｗ、１ｘを組み込んだ、本発明の実施例１のスライド収納式フラップ戸を、図を用いて説明する。図１０は、本発明の実施例１のスライド収納式フラップ戸の（ａ）正面側概略図（ｂ）水平方向断面概略図（ｃ）縦断面概略図である。図８（ｂ）においては、一点鎖線は吊り元を示す。図１１は、本発明の実施例１のスライド収納式フラップ戸の（ａ）右上部接続部分断面概略図（ｂ）左上部接続部分断面概略図（ｃ）左上部接続部分正面概略図である。図１０（ｂ）は、図１０（ａ）のＧ-Ｇ断面部分を、図１０（ｃ）は、図１０（ａ）のＨ-Ｈ断面部分を示す。
【００５２】
本発明の実施例１のスライド収納式フラップ戸８は、扉用部品１（１ｗ、１ｘ）を、突起部３３が水平方向に突出するように上部に左右対で取り付けた扉部８２を有し、扉用部品１毎に突起部３３がレール内で滑動可能に接続される扉用レール８６を側板８８内部上方に有し、扉部８２が上方向に引き上げて開き扉用レール８６に沿って本体部８１内に収納される。ガイドローラー８７は、扉部８２を本体部８１内に収納する際に扉部８２裏面が当たる位置にあって収納をスムーズに行わせる。扉用部品１は、スライド収納式フラップ戸８において、スライドヒンジの役割を果たす。扉用レール８６は、左右の側板８８にそれぞれ配置され、扉用部品１ｗ、1ｘは、それぞれの扉用レール８６を滑走するように、それぞれ、突起部３３が扉用レール８６の溝にちょうど嵌る大きさで設けられている。扉部８２を開く時には、突起部３３が扉用レール８６内で、扉用部品１の突起部３３の中心を中心軸として垂直方向（突起部周方向）に回転して、本体部５１に対して、扉用部品１の部分を回転軸として扉部５２を回動して押し上げ、そのまま突起部３３の外側面を扉用レール８６に接触させたまま滑らせて本体部８１奥に扉部８２を押し込んで収納し、扉部８２を閉める時には、突起部３３の外側面を扉用レール８６に接触させたまま滑らせて本体部８１手前に扉部８２を引き出して、突起部３３が扉用レール８６内で、扉用部品１の突起部３３中心を中心軸として垂直方向に回転するように本体部５１に対して、扉用部品１の部分を回転軸として扉部５２を回動して下げる。
【００５３】
本発明の実施例１のスライド収納式フラップ戸８によれば、上述した構成であるので、扉の大きさや厚みの制限を受けにくく安価である。スライド収納式フラップ戸は扉を家具の中に収納するタイプの扉部を有するものであり、従来、スライド収納式フラップ戸では、扉の開閉には、本体部の方に引出用金物のスライドレールと開き戸用金物スライドヒンジを組み合わせて使うので、販売しているスライドレールの長さによって扉の大きさが制限され、同じく市販のスライドヒンジの仕様によって扉の板の厚みが制限される。しかし、本発明の実施例１のスライド収納式フラップ戸８は、扉用部品１を有することにより、ガイドレールの長さと設置位置を調整することで、扉の厚みや大きさに合わせることができるという効果を奏する。
【００５４】
なお、本発明は、上記実施の形態に限定されず、その発明の趣旨を逸脱しない範囲で種々と変形実施が可能である。また、上記各実施の形態の構成要素を発明の趣旨を逸脱しない範囲で任意に組み合わせることができる。
【符号の説明】
【００５５】
１      扉用部品
２      扉側取付板部
２１    横方向調整用穴
２４    接続用穴
２５    横溝部
３      本体側取付板部
３１    固定具挿入用穴
３２    縦方向調整用穴
３３    突起部
３４    背板部
３３１  リング
３３２  軸部
３５    滑り止め溝部
３６    前板部
４      調整用ねじ
５      開き戸
５１    本体部
５２    扉部
５３    天板
５４    床板
５５    軸受け穴
５９    マグネットキャッチ
６      引き違い戸
６１    本体部
６２    扉部
６３    天板
６４    床板
６６    扉用レール
６７    棚保持柱
６８    棚
７      フラット引き違い戸
７１    本体部
７２    扉部
７３    天板
７４    床板
７６    扉用レール
７７    棚保持柱
７８    棚
８      スライド収納式フラップ戸
８１    本体部
８２    扉部
８３    天板
８４    床板
８６    扉用レール
８７    ガイドローラー
８８    側板
８９    マグネットキャッチ
９      固定用ねじ
【図１】
2015101828.tif 000003
【図２】
2015101828.tif 000004
【図３】
2015101828.tif 000005
【図４】
2015101828.tif 000006
【図５】
2015101828.tif 000007
【図６】
2015101828.tif 000008
【図７】
2015101828.tif 000009
【図８】
2015101828.tif 000010
【図９】
2015101828.tif 000011
【図１０】
2015101828.tif 000012
【図１１】
2015101828.tif 000013